(57)【特許請求の範囲】
【請求項１】
背板又は座板とこれを体圧支持面の側から覆う表皮材とを有しており、前記表皮材で背板又は座板の外周縁が全体的に又は部分的に抱持されている椅子であって、
前記背板又は座板に、体圧支持面と反対側にＵターンしたカール部を形成することにより、背板又は座板の外周外側方向に開口した一対の凹所が形成されており、前記表皮材は、体圧支持面の側から前記凹所に入り込んでいると共に、前記カール部の側からも前記凹所に入り込んでいる、という構成において、
前記表皮材には、前記凹所の内部に入り込んだ縁部材が取り付けられており、前記縁部材を前記凹所の内面に取り付けている、
椅子。
【請求項２】
前記縁部材は帯状の樹脂製縁板であってこれにキャッチ穴を設けている一方、前記背板又は座板における凹所の内面には、前記縁板のキャッチ穴が嵌脱するキャッチ突起を設けている、
請求項１に記載した椅子。
【請求項３】
前記カール部は背板の上端部に形成されていて前記凹所は左右外側に開口しており、背クッション及び表皮材もカールしていて前記背板のカール部を後ろから覆っている一方、前記表皮材には前記凹所の開口縁を通って背板の側縁に沿って延びるライン状のかがり部が形成されており、前記表皮材のうち前記凹所に沿ってカールした部位でかつ前記かがり部を挟んで前記凹所の外側に位置した部位に予め皺をよらせている、
請求項２に記載した椅子。
【発明の詳細な説明】
【技術分野】
【０００１】
本願発明は、背板又は座板を少なくとも表皮材で覆っている椅子に関する。
【背景技術】
【０００２】
椅子において、背もたれや座が板（背板・座板）にクッションを張った構造である場合、クッションは表皮材で覆われており、表皮材の縁は背板又は座板に取り付けられている。表皮材の取り付け手段としては、打ち込み式のタッカーで固定したり、表皮材の外周に紐を取り付けてこの紐を背板又は座板に設けた突起に係止したり、或いは、表皮材の外周部に帯状の縁部材を固定して、この縁部材を背板や座板に形成した溝穴に嵌め込んだりしている。
【０００３】
他方、例えば背もたれにおいて、背クッションを背板の裏側に巻き込むことが行われており、その例として特許文献１には、背クッションの上端部を後ろにカールさせることが開示されている。そして、この特許文献１では、背クッションのカール部を保持する手段として、背クッションにおけるカール部の内面に取付片を固定し、この取付片に設けた突起を背板に設けた係止穴に嵌め込むことが開示されている。
【先行技術文献】
【特許文献】
【０００４】
【特許文献１】特開２００２−１３６３８３号公報
【発明の概要】
【発明が解決しようとする課題】
【０００５】
さて、既述のようにクッションにはクロスやレザー等の表皮材が張られている。従って、特許文献１のように背クッションの上部をカールさせると、カール部の内側にも表皮材が入り込むが、作業の仕方によってカール部の内部への表皮材の入り込み方がまちまちになりがちであるため、たるみが生じたり膨れたりするなど形状が一定せず、このため体裁が悪くなることが懸念される。
【０００６】
また、表皮材は平らな布やレザーなどを材料にして製造される一方、カール部は外周と内周とで周方向の長さが異なるため、カール部の端面箇所において表皮材に皺がよることは避けられない。そして、皺のよりかたは表皮材の張り具合や背クッションの曲げ方などでまちまちになり、皺が一部の箇所に集中するなどして体裁が悪くなることも懸念される。
【０００７】
本願発明はこのような現状に鑑み成されたものであり、カールさせた表皮材を凹所に嵌め入れて取り付けるにおいて、表皮材を美麗に処理することを可能ならしめんとするものである。
【課題を解決するための手段】
【０００８】
本願発明は、背板又は座板とこれを体圧支持面の側から覆う表皮材とを有しており、前記表皮材で背板又は座板の外周縁が全体的に又は部分的に抱持されている椅子る関する。この椅子は、前記背板又は座板に、体圧支持面と反対側にＵターンしたカール部を形成することにより、背板又は座板の外周外側方向に開口した一対の凹所が形成されており、前記表皮材は、体圧支持面の側から前記凹所に入り込んでいると共に、前記カール部の側からも前記凹所に入り込んでいる、という構成において、前記表皮材には、前記凹所の内部に入り込んだ縁部材が取り付けられており、前記縁部材を前記凹所の内面に取り付けている。
【０００９】
請求項２の発明は請求項１を具体化したもので、この発明では、前記縁部材は帯状の樹脂製縁板であってこれにキャッチ穴を設けている一方、前記背板又は座板における凹所の内面には、前記縁板のキャッチ穴が嵌脱するキャッチ突起を設けている。
【００１０】
請求項３の発明は請求項１又は２の発明を背もたれに適用している。すなわちこの発明では、前記カール部は背板の上端部に形成されていて前記凹所は左右外側に開口しており、背クッション及び表皮材もカールしていて前記背板のカール部を後ろから覆っている一方、前記表皮材には前記凹所の開口縁を通って背板の側縁に沿って延びるライン状のかがり部が形成されており、前記表皮材のうち前記凹所に沿ってカールした部位でかつ前記かがり部を挟んで前記凹所の外側に位置した部位に予め皺をよらせている。
【００１１】
請求項３において、皺は襞又はギャザーと呼び変えることも可能である。また、かがり部とは別布の縫い付けやかがり縫い等によって剛性を高めた部位をいう。かがり部の構造としては、テープ片を縫い付けることも可能である。
【発明の効果】
【００１２】
本願発明では、縁部材が凹所の内面に取り付けられているため、表皮材は凹所の内面に重なるように張られ、しかも、縁板の位置が縁部材によって一定化するため、作業の仕方に関係なく表皮材の張り具合が一定化し、このため体裁よく仕上げることができる。更に、カール部における表皮材の皺のよりかたも均一化することができ、この面においても表皮材を体裁良く処理することができる。
【００１３】
縁部材としては線材や紐など各種のものを採用できるが、請求項２のように帯状の樹脂製縁板を採用すると、縁板は腰があるため表皮材の保形機能をより的確に発揮できる利点がある。また、縁板はその係合穴を突起に嵌め込むだけの簡単な取り付け構造であるため、着脱も容易である。
【００１４】
表皮材はその縁部に縁板等の縁部材を取り付けただけの構成でも足りるが、請求項３のようにかがり部を設けて予め皺（襞、ギャザー）を形成しておくと、表皮材を均一な状態に確実に保持することができて特に好適である。
【図面の簡単な説明】
【００１５】
【図１】椅子の外観図であり、（Ａ）は前方から見た斜視図、（Ｃ）は後ろから見た斜視図、（Ｂ）は側面図である。
【図２】椅子の分離斜視図である。
【図３】クッションを省略した状態での背もたれの外観図であり、（Ａ）は前方から見た斜視図、（Ｂ）は側面図、（Ｃ）は後ろから見た斜視図である。
【図４】背もたれを後ろから見た分離斜視図である。
【図５】（Ａ）はトップメンバーとメインメンバー及びバックサポートとの分離斜視図、（Ｂ）はメインメンバーとバックサポートとの分離斜視図である。
【図６】（Ａ）はメインメンバーの部分背面図、（Ｂ）はメインメンバーを後ろから見た部分斜視図、（Ｃ）はクッションの端部の部分正面図、（Ｄ）はクッションの取付け態様を示す平断面図である。
【図７】（Ａ）はバックサポートの部分正面図、（Ｂ）はバックサポートを前から見た部分斜視図、（Ｃ）はバックシートの端部の部分正面図、（Ｄ）はバックシートの取付け態様を示す平断面図である。
【図８】（Ａ）は背もたれの左右中央部での側断面図、（Ｂ）はトップメンバーの側端部の斜視図、（Ｂ）はトップメンバーの側端部の底面図である。
【図９】（Ａ）は要部（背もたれの上部）の側面図、（Ｂ）は（Ａ）のＢ−Ｂ視平断面図、（Ｃ）及び（Ｄ）はかがり部の模式的な断面図である。
【図１０】（Ａ）〜（Ｃ）は第２実施形態を示す図で、（Ａ）は概略側面図、（Ｂ）は（Ａ）のＢ−Ｂ視断面図、（Ｃ）は作用の説明図でる。（Ｄ）は第３実施形態の概略側面図、（Ｅ）は（Ｄ）のＥ−Ｅ視断面図である。
【発明を実施するための形態】
【００１６】
次に、本願発明の実施形態を図面に基づいて説明する。本実施形態は事務用に多用されている回転式ロッキング椅子に適用している。本願では方向を特定するため「前後」「左右」といった文言を使用するが、これは普通の姿勢で着座した人の向きを基準にしている。正面視は着座した人と対向した方向になる。
【００１７】
(1).椅子の概要
まず、主として図１〜５を参照して椅子の概要を説明する。図１に示すように、椅子は、大きな要素として脚１と座２と背もたれ３とを備えている。脚１は放射方向に延びる枝足を有しているが図示は省略しており、ガスシリンダよりなる脚支柱４のみを表示している。脚支柱４の上端にはベース５が固定されており、ベース５の上方に座２が配置されている。
【００１８】
図２に示すように、座２は、樹脂製の座インナーシェル（座板）６とその上面に張った座クッション７とから成っており、図２，３に示す中間支持体８に、前後位置調節可能に取付けられている。中間支持体８の前部はフロントリンク９を介してベース５の前部に連結されており、フロントリンク９は、側面視でベース５と中間支持体８との両方に対して相対回動する。従って、フロントリンク９が回動することにより、中間支持体８及び座２は上下動しながら前後動する。
【００１９】
例えば図４に示すように、背もたれ３は、着座者の体圧がかかるシェル状の背板（背インナーシェル）１０と、これが取付けられたシェル状のバックサポート１１とを有しており、図１のとおり、背板１０の前面に背クッション１２が張られている。背クッション１２は、クロス等の表皮材１３で前から覆われている。図２〜４に明示するように、背板１０は、バックサポート１１の手前に配置されたメインメンバー１４と、メインメンバー１４の上に重ね配置されたトップメンバー１５との２つの部材（パーツ）から成っている。両メンバー１４，１５は樹脂成形品である。
【００２０】
メインメンバー１４の前面とトップメンバー１５の前面とは、滑らかに連続している。従って、着座した人は一体構造の背もたれと同様に違和感なく凭れる掛かることができる。本実施形態のトップメンバー１５は後ろに曲がって下向きにＵターンした形状をしており、従って、おおよそ下向き開口Ｕ字に近い側面視形態になっている。
【００２１】
背板１０におけるメインメンバー１４の上端とバックサポート１１の上端とは略同じ高さになっており、背板１０のトップメンバー１５はバックサポート１１の上面に重なっている。そして、背板１０のトップメンバー１５は、バックサポート１１の上部後方に回り込むようにオーバーハングしている。従って、トップメンバー１５は、上から後ろに滑らかなカーブを描いて後ろ側に曲がったカール部１５ａを有している。
【００２２】
図３に明示するように、バックサポート１１の下端には、前向きに延びる左右一対のアーム１６が一体に形成されており、左右のアーム１６は門形のジョイント１７で連結されている。そして、左右のアーム１６はその前端部を中心にして後傾するようにベース５に連結されており、かつ、左右のアーム１６は、金具１８（図１（Ｂ）に僅かに露出している。）を介して中間支持体８の後部と連結している。このため、背もたれ３が後傾すると、中間支持体８と座２は、金具１８に引かれて後退しつつ上昇する。ベース５の後部にはロッキングに抵抗を付与する弾性体が配置されている。
【００２３】
例えば図３から理解できるように、バックサポート１１の下端部は、アーム１６の付け根よりも下方に突出している。また、バックサポート１１の下部の背面にはロアカバー１９が装着されている。バックサポート１１は表皮材たるバックシート２０で後ろから覆われており、ロアカバー１９もバックシート２０で覆われている。図１（Ａ）に示すように、表皮材１３の上部には後ろ向き引き込み部２１を設けている。
【００２４】
(2).背もたれの概要
次に、背もたれ３の概要を説明する。例えば図４から理解できるように、バックサポート１１とメインメンバー１４とは、上端の横幅より下端の横幅が小さくなっている。従って、両者とも正面視で逆台形の形状を成している。例えば図３に明示するように、バックサポート１１とメインメンバー１４とは、いずれも平面視で前向き凹状に緩い曲がりで湾曲しており、かつ、両者とも着座者の腰部が当たる部分が最も前に位置するように側面視で前向き凸状に湾曲している。
【００２５】
例えば図３に示すように、メインメンバー１４の左右両側部には前向きに突出した角形のサイド突条２３が形成され、メインメンバー１４の下端にも前向きに突出した角形のボトム突条２４が形成されている。両突条２３，２４は互いに連続している。両突条２３，２４は、後ろ向きに開口してチャンネル状の形態を成している。
【００２６】
例えば図６（Ｄ）に示すように、背クッション１２はサイド突条２３及びボトム突条２４の内側に配置されており、従って、サイド突条２３とボトム突条２４とは、補強機能と背クッション１２の位置決め機能とを有している。背クッション１２を覆う表皮材１３はメインメンバー１４の後ろに巻き込まれており、表皮材１３の端縁はバックサポート１１で隠れている。
【００２７】
そして、表皮材１３の端縁には樹脂板のような帯板状の縁板２５が縫着されている一方、メインメンバー１４の背面のうち突条２３，２４のやや内側に位置した部位にはキャッチ突起２６を適宜間隔で数形成しており、縁板２５に形成したキャッチ穴２７をキャッチ突起２６に嵌め込んでいる。キャッチ突起２６は正面視で十字形に形成されており、先端部には縁板２５の抜け止めのための膨出部２６ａを形成している。なお、縁板２５はその全体を表皮材１３に重ねて縫着しており、このため、表皮材１３は、背板１０に取付けた状態では縫着部の箇所で折り返されている。
【００２８】
既述のとおり、背板１０を構成するトップメンバー１５は、その上端から後ろ下向きに延びカール部１５ａを有しており、このため、トップメンバー１５の上部に、左右外側（すなわち、体圧支持面たる前面と直交した方向）に開口したサイド凹所２８が形成されている（例えば図１〜３参照）。背クッション１２は、メインメンバー１４から上向きに延びてトップメンバー１５も覆っている。図８（Ｃ）から理解できるように、表皮材１３はトップメンバー１５のサイド凹所２８に入り込んでおり、サイド凹所２８の底面２８ａに設けたキャッチ突起２６に縁板２５を嵌め込んでいる。このため、表皮材１３は、サイド凹所２８の外側部において張った状態に保持されている。この点は後述する。
【００２９】
(3).バックサポート
例えば図６（Ｄ）に示すように、バックサポート１１の左右両側縁は略前向きに突出した側壁１１′になっており、また、図２，５のとおり、バックサポート１１の下部には、メインメンバー１４におけるボトム突条２４の後ろに位置した左右横長のロアリブ３０が前向き突設されている。ロアリブ３０の下面には多数の補強リブが連接されている。図６（Ｄ）に示すように、バックサポート１１の側壁１１′は、メインメンバー１４におけるサイド突条２３の後ろに位置している。
【００３０】
図２，５のとおり、バックサポート１１の前面には、アーム１６に連続する左右一対ずつの内側縦リブ３１及び外側縦リブ３２が前向きに突設されており、ロアリブ３０は内側縦リブ３１に接続さている。また、左右の外側縦リブ３２の上端は上部水平リブ３３を介して連続しており、左右の内側縦リブ３１の上端は下部水平リブ３４を介して連続している。また、下部水平リブ３４は左右の外側縦リブ３２にも連続している。
【００３１】
これらのリブ３０〜３４は補強機能を有すると共に、背板１０が着座者の体圧で後ろ向きに凹むように変形したときの変形量を規制するストッパーの役割も果たしている。また、内外の縦リブ３１，３２は背板１０を取付ける機能も果たしている（本願発明と直接の関係はないので説明は省略する。）。
【００３２】
既述のように、バックサポート１１はバックシート２０で後ろから覆われている。図７（Ｃ）（Ｄ）に示すように、バックシート２０の周縁には樹脂板等の帯の縁板３５が縫着されている一方、バックサポート１１の前面のうち左右両側部にはキャッチ突起３６が上下適宜間隔で前向きに突設されており、縁板３５に空けたキャッチ穴３７をキャッチ突起３６に嵌め込んでいる。キャッチ突起３６には、抜け止めのための膨出部３６ａが形成されている。バックシート２０の下端縁の固定手段としては、バックサポート１１の下部とロアカバー１９とで挟まれた空所に縁板３５を下方から嵌め入れている。
【００３３】
(4).バックサポートへのメインメンバーの取付け手段
本願発明との直接の関係は無いので詳細は省略するが、背板１０を構成するトップメンバー１５はメインメンバー１４に対して着脱自在であり、かつ、メインメンバー１４はバックサポート１１に対して着脱自在である。図２に示すように、メインメンバー１４の上端には左右の外枠部５４が形成されており、バックサポート１１の上端には、外枠部５４が嵌まる内枠部５６が形成されている。
【００３４】
図５（Ｂ）に示すように、メインメンバー１４の左右両側部と下部とに略角形の位置決め突起４２，４３を後ろ向きに突設している。上部位置決め突起４２は、バックサポート１１に設けた左右一対の上部挟持体４４の間に嵌め入れられて、下部位置決め突起４３は、バックサポート１１における内外縦リブ３１，３２の間に嵌め入れられている。
【００３５】
また、メインメンバー１４を前向き移動不能に保持する手段として、図５（Ｂ）示すように、メインメンバー１４のうち上部位置決め突起４２の外側に、平面視矢尻形の上部係合体４５を後ろ向きに突設している一方、バックサポート１１の前面には、上部係合体４５が引っ掛かる平面視Ｌ形の上部係合受け部４７を形成している。
【００３６】
例えば図５（Ｂ）のとおり、メインメンバー１４の背面のうち下部位置決め突起４３より下方の下端部には、平面視矢尻形の下部係合体４８を後ろ向きに突設している一方、バックサポート１１における内外縦リブ３１，３２の内面には、下部係合体４８が係合する左右一対の下部係合受け部（図示せず）を設けている。メインメンバー１４における外枠部５４の真下部位には、メインメンバー１４における内枠部５６の上面に下方から当接し得るアッパー係合爪６０を設けている。アッパー係合爪６０は、バックサポート１１の内枠部５５に回動自在に取り付けたレバー（図示せず）により、係合解除姿勢に撓み変形させることができる。
【００３７】
図５（Ａ）及び図８（Ａ）に示すように、背板１０を構成するトップメンバー１５とメインメンバー１４とは、雄型係合部６１と雌型係合部６２とから成る係合手段によって離脱しない状態に保持されている。雄型係合部６１には係合爪６３を形成し、雌型係合部６２には係合穴６４を形成している。例えば図５（Ａ）のとおり、トップメンバー１５は左右のトップ突条６５を有しており、左右のトップ突条６５から下向きに突設したボス６６をメインメンバー１４におけるサイド突条２３の上端に設けた筒条部６７に嵌め入れている。また、図２から理解できるように、トップメンバー１５のサイド凹所２８は、バックサポート１１の左右両端部に設けたプラグ６９で塞がれている。
【００３８】
プラグ６９は、バックサポート１１に設けた耳部１１ａに装着しており、高さが低いトップメンバー１５を使用する場合はプラグ６９は使用されず、耳部１１ａがサイド凹所２８に入り込む。また、図示していないが、バックサポート１１を覆うバックシート２０には、プラグ６９及び耳部１１ａを覆うポケット部が形成されており、このため、体裁よく仕上がっている。図４のとおり、トップメンバー１５における左右突条６５の終端は、カール部１５ａの下端に設けたエンド突条７０で接続されている。
【００３９】
(5).サイド空所の箇所での表皮材の処理構造
次に、図９も参照してサイド凹所２８の箇所での表皮材１３の処理構造を説明する。既述のとおり、サイド凹所２８の底面２８ａには一対のキャッチ突起２６が形成されている。キャッチ突起２６の膨出部２６ａは上下に位置している。キャッチ突起２６は、トップメンバー１５のカール部１５ａに前後に開口した抜き違い穴７２，７３を形成することにより、膨出部２６ａを有する形状に形成されている。なお、サイド凹所２８はスライド型を使用して成形されている。
【００４０】
縁板２５は適当な長さに分断されており、サイド凹所２８の箇所では、サイド凹所２８に入り込む程度の上下長さに形成されている。そして、分断された各縁板２５は上下２個のキャッチ突起２６に嵌合しているため左右動不能に保持されており、その状態で各縁板２５の基端がサイド凹所２８の内側面２８ｂに当接又は密接していることにより、表皮材１３はサイド凹所２８の内周縁にきっちり重なった状態に保持されている。このため、表皮材１３はピシッと張った状態に保持されている。
【００４１】
なお、サイド凹所２８に配置された表皮材１３の周縁のうち、サイド凹所２８の上端部に位置した部分には縁板２５は必ずしも設ける必要はないが、短い長さに分断して取り付けておいてもよい。また、既述のとおり、サイド凹所２８にはバックサポート１１に設けたプラグ６９が嵌合しているため、表皮材１３はプラグ６９（或いは耳部１１ａ）によっても保形されている。
【００４２】
背板１０を構成するメインメンバー１４及びトップメンバー１５には突条２３，２４，６５，７０が形成されているため、背板１０の左右両側面１０ａはある程度の幅を有する帯状の平坦面になっている。また、背クッション１２は突条２３，２４，６５，７０で囲われているため、表皮材１３は背板１０の外周面に重なった状態に保持されており、このため背板１０は背クッション１２及び表皮材１３を取り付けた状態でシャープなラインが保持されている。
【００４３】
そして、表皮材１３には、背板１０（トップメンバー１５）の側面１０ａとサイド凹所２８の開口縁とが繋がるコーナー部１０ｂに沿って延びるライン状（或いはリブ状、突起状）のかがり部１３ａが形成されている。表皮材１３は上端から下向きにカールしているため、コーナー部１０ｂはサイド凹所２８の内周に沿って延びており、従って、かがり部１３ａもサイド凹所２８の開口縁に沿って延びている。
【００４４】
なお、かがり部１３ａは背板１０の側面１０ａの縁に位置していてもよいし、コーナー部１０ｂに重なっていても良いし、メインメンバー１４の背面及びサイド凹所２８の内周面に重なっていてもよい。いずれにしても、かがり部１３ａの箇所では表皮材１３は補強したのと同じで腰が格段に強くなっているため、かがり部１３ａはコーナー部１０ｂに沿って延びるように位置決めされており、その結果、背板１０の側面の箇所において表皮材１３はピシッと張った状態に保持される。
【００４５】
そして、図９（Ａ）に示すように、表皮材１３のうちサイド凹所２８の上部に沿ってカールした部位（すなわち、表皮材１３のうち背板１０の側面１０ａに重なった部位でかつカールした部位）に、かがり部１３ａを挟んでサイド凹所２８の外側に向けて延びる皺７４を予め形成している。換言すると、皺７４がよるように襞をよせた状態でかがり部１３ａを形成している。敢えて述べるまでもないが、かがり部１３ａを形成するに当たって、均等に襞をよせることにより、美麗な状態で皺をよらせている。
【００４６】
より具体的に述べると、カールの頂点たる上端部では皺の密度が高く、そこから下方に離れるに従って単位長さ当たりの皺の数が徐々に減っており、これにより、違和感のない自然な状態に皺７４を形成している。そして、表皮材１３に予め皺７４を綺麗な状態で形成していることと、かがり部１３ａが保形機能を有していることと、表皮材１３の周縁部がサイド凹所２８の内側面にきっちり重なる状態に保持されることとが相まって、作業の仕方に関係なく、サイド凹所２８の周囲の箇所で表皮材１３を美麗な状態に保持できる。サイド凹所２８の底面２８ａには２枚の縁板２５が重なっているが、どちらを奥にしても構わない。
【００４７】
図９（Ｃ）（Ｄ）では、かがり部１３ａの具体例を示している。このうち（Ｃ）に示す例では表皮材１３は全体が１枚で構成されており、その外周寄りの部位に重合部１３ｃを形成し、これを逢着して重ね状態を保持している。この状態では、縁板２５が取り付く部位にも皺がよっている。他方、図９（Ｄ）に示す例では、表皮材１３は主材１３′とその外周に装着した縁材１３″とで構成されており、主材１３′の外周部を折り返した状態で縁材１３″に逢着することで厚肉状のかがり部１３ａを形成している。この例では縁材１３″には皺をよらせる必要がないため、縫着作業が容易である。
【００４８】
縁板２５を取り付ける手段としては、図９（Ｂ）に示すようにフック７５をサイド凹所２８の両内側面に上下複数段ずつ形成し、これらフック７５に縁板２５を引っ掛けることも可能である（フック７５も金型の抜き違いによって成形される。）。或いは、他の構成を採用してもよい。縁板２５は、表皮材１３に溶着又は接着で固定してもよい。
【００４９】
(6).他の実施形態
次に、図１０に示す第２〜第３実施形態を説明する。この実施形態では、サイド凹所２８には当該サイド凹所２８の底面と略相似形の凹所用縁板７７が使用されており、凹所用縁板７７には、その外周部を除いた状態で表皮材１３が縫着されている。他方、サイド凹所２８の前後内側面には、相対向する状態で一対ずつ（合計４個）のストッパー片７８を突設しており、各ストッパー７８に凹所用縁板７７の縁部を奥側から当てて（引っ掛けて）いる。
【００５０】
凹所用縁板７７は、（Ｃ）に示すように、サイド凹所２８の底面２８ａに向けて押し込み、縁部がストッパー片７８を乗り越えて奥に押し込まれることにより、ストッパー片７８に奥側から係合する。従って、ストッパー片７８の内側には凹所用縁板７７が撓み変形してからフラットな状態に戻るための空間が必要であり、このため、ストッパー片７８は底面２８ａよりもある程度の寸法だけ離れている。
【００５１】
ストッパー片７８の形状や個数は任意に設定できる。ストッパー片７８は、サイド凹所２８の内周に沿って長く延びるリブ状に形成することも可能であるし、逆に、砲弾形に形成してその多数個を飛び飛びに配置することも可能である。この実施形態では、凹所用縁板７７は表皮材１３の裏側に取付けられるので、サイド凹所２８の内部を露出させることも可能である。凹所用縁板７７をサイド凹所２８に嵌め込む方法としては、凹所用縁板７７を平面視で傾斜させることにより、まず、右側縁又は左側縁をストッパー片７８の奥側に嵌め込み、次いで、ストッパー片７８の外側に位置した側縁を押し込む、という方法も採用できる。
【００５２】
図（Ｄ）（Ｅ）に示す第３実施形態でもサイド凹所２８に嵌まり込む凹所用縁板７７を使用しているが、この実施形態では、ストッパー片の形状・機能が第２実施形態と相違している。すなわちこの実施形態は、サイド凹所２８の上部に設けた上部ストッパー片７９とサイド凹所２８の下部に設けた下部ストッパー片８０とを有しているが、上部ストッパー片７９の下部には外側に傾斜したガイド部７９ａと成しており、このため、（Ｅ）に示すように、凹所用縁板７７の上部を下方から差し込むことができる。
【００５３】
下部ストッパー片８０は第２実施形態のストッパー片７８と同じ機能であり、凹所用縁板７７は、底面２８ａに向けて押し込むことでその前後縁部が下部ストッパー片８０の奥川に入り込む。この第３実施形態では凹所用縁板７７の上部は下方からの差し込みで上部ストッパー片７９に係合させると、上部ストッパー７９の張り出し寸法を大きく取ることができる利点がある（従って、外れにくい。）。
【００５４】
(7).その他
本願発明は、上記の実施形態の他にも様々に具体化できる。例えば、適用対象は回転椅子に限定されず、固定式椅子などの各種の椅子に適用できる。また、背もたれがロッキングしない椅子にも適用できることはいうでもない。実施形態では背板をメインメンバーととトップメンバーとの２つの部材で構成したが、背板が単一構造であってもよいことはいうまでもない。
【００５５】
縁部材の構造や取り付け手段は任意に設定できる。例えば縁部材として紐や線材を採用し、これを図９（Ｂ）に示したフック７４に引っ掛けるといったことも可能である。面ファスナを使用した取り付けも可能である。椅子の背に適用する場合、背板の左右両側縁を後ろ向きにカールさせることにより、凹所を上下外側に開口させること可能である。いずれにしても、凹所は左右全長又は上下全長にわたって連通した構成に採用可能である（この場合は、底面が存在しないため、縁部材は凹所の内側面に係止等することになる。）。また、本願発明は座に適用することも可能である。
【産業上の利用可能性】
【００５６】
本願発明は、椅子に適用して有用性を発揮する。従って、産業上利用できる。
【符号の説明】
【００５７】
３  背もたれ
１０  背板
１１  バックサポート
１２  背クッション
１３  背クッションの表皮材
１３ａ  かがり部
１４  背板を構成するメインメンバー
１５  背板を構成するトップメンバー
１５ａ  カール部
２５  縁板
２６  キャッチ突起
２８  サイド凹所
７４  皺（襞、ギャザー）
【図１】
0005671333.tif 000002
【図２】
0005671333.tif 000003
【図３】
0005671333.tif 000004
【図４】
0005671333.tif 000005
【図５】
0005671333.tif 000006
【図６】
0005671333.tif 000007
【図７】
0005671333.tif 000008
【図８】
0005671333.tif 000009
【図９】
0005671333.tif 000010
【図１０】
0005671333.tif 000011